(57)【要約】      （修正有）【課題】将棋やチェスなどのマス目付きゲーム盤はマス目の数が決められ、数も多いのでゲーム盤の面積が大きく、重量も重いので収納や携帯に不便であった。また、布だけのゲーム盤はしわになりやすく、駒を置くときの感触もよくなかった。さらに、一つのゲーム盤で多種類のゲームをプレーすることができなかった。これらの問題を解決するためのゲーム盤を提供する。【解決手段】布などの折りたたみ可能なシート状物に、厚さが１ｍｍ〜６ｍｍのマス目を形成する木などの薄板状物（マス目板）を、一定の間隔を空けて貼り付けたことを特徴とするゲーム盤とした。また、マス目数の異なるいろいろなゲームに使用できるように、マス目を形成する薄板状物の少なくとも一部を面ファスナーなどを介して脱着できるようにした。また、薄板状物の少なくとも半数の片側面を着色して、チェスなどの市松模様盤にするか、将棋などの同一色相面にするかを選べるようにした。【選択図】図２
2020188849.tif 000002
【特許請求の範囲】
【請求項１】
折りたたみ可能なシート状物に個々のマス目を形成する薄板状物を、一定の間隔を空けて接合したことを特徴とするゲーム盤。
【請求項２】
マス目を形成する薄板状物が任意の数だけ面ファスナーを介して脱着可能である請求項１に記載のゲーム盤。
【請求項３】
シート状物が薄板状物の任意の数に対応するマス目位置に面ファスナーを張り付けた厚手の綿布類である請求項１又は２に記載のゲーム盤。
【請求項４】
シート状物が面ファスナーと接合可能な起毛布である請求項1から３のいずれかに記載のゲーム盤。
【請求項５】
薄板状物が少なくとも半数の片面を着色した1種類の木質材か、又は色相の異なる2種類の木質材からなる請求項１から請求項４のいずれかに記載のゲーム盤。
【発明の詳細な説明】
【技術分野】
【０００１】
本発明は、折りたたみ可能な将棋、チェスなどのマス目付きゲーム盤に関する。
【背景技術】
【０００２】
将棋、チェスなどのマス目付きゲーム盤はマス目の大きさや数が決められ、数も多いのでゲーム盤の面積が大きく、収納や携帯に不便であった。
【０００３】
そのため、裏面に蝶番をつけた二つ折りのゲーム盤が市販されているが、二つ折りではもう一つの辺が長いままで、十分ではなく、重さも変わらない。
【０００４】
また、布に罫線を施しただけの盤も市販されているが、プレー時にしわが寄る、盤がずれるなどの不満があった。
【０００５】
特許文献１では樹脂を含侵させた不織布に罫線を施した将棋盤が開示されているが、駒を指すときの駒音がでない欠点がある。
【０００６】
さらに、通常ゲーム盤はゲームの種類ごとに専用のゲーム盤を用意しなければならない。
【先行技術文献】
【特許文献】
【０００７】
【特許文献１】実開昭６１−１６８８７５号公報
【発明の概要】
【発明が解決しようとする課題】
【０００８】
以上に述べたように、従来の将棋盤やチェス盤では二つ折りで面積を半減させるのが限度で、収納や携帯には不十分であった。
また、布に罫線を施しただけの盤はしわができるし、木の盤独特の指し心地を得ることができない。
【０００９】
本発明は、将棋やチェス、リバーシ（オセロ）など、多くのマス目を有するゲーム盤を四つ折り以上に折りたためて、軽くて安価なゲーム盤を提供することを目的とする。また、多種類のマス目ゲームが一つのゲーム盤でプレーできるようにする。
【課題を解決するための手段】
【００１０】
本発明のゲーム盤は上記目的を達成するために、布などの折りたたみ可能なシート状物に個々のマス目を形成する薄板状物を、間隔をあけて接合することを特徴とする。また、少なくとも薄板状物の裏面に面ファスナーを施して、シート状物と脱着可能なように接合することを特徴とする。
【発明の効果】
【００１１】
本発明によりゲーム盤がコンパクトになり、軽くて収納や携帯に便利なゲーム盤を安価に提供できる。
【００１２】
また、折りたたみ可能な布などであってもしわにならず、駒音も感じることができる。
【００１３】
さらに、一つのゲーム盤で多種類のマス目ゲームをプレーできるので経済的である。
【図面の簡単な説明】
【００１４】
【図１】本発明の実施例１のゲーム盤の平面図
【図２】本発明の実施例２のゲーム盤の平面図
【図３】本発明の実施例２のマス目形成板状物の斜視図
【図４】本発明の実施例３のゲーム盤の平面図
【発明を実施するための形態】
【００１５】
図１に本発明の実施の形態におけるマス目付きゲーム盤１の一例のチェス盤の平面図を示す。
折りたたみ可能なシート状物２は布類が好ましいがプラスチックフィルム、ゴムシートなど柔軟性があるものであればよい。マス目を形成する薄板状物（以下マス目板と称す）３は天然木、集成材、合板などの木質材料が好ましいが、プラスチックや厚紙などの硬質材料でもよい。形状は厚さが1ｍｍ~6ｍｍ程度が好ましく、形は正方形、長方形などの多角形などが好ましい。マス目板３を配列して接合する間隔は罫線の代わりにもなるが、4つ折りができるように少なくとも折りたたみ個所はマス目板３の厚さ以上は必要である。接合手段はシアノアクリレート系の瞬間接着剤や木工ボンドなどの高分子化合物系の接着剤や粘着テープなどが適している。マス目板の裏側の接合部分の面積は３０%以上で、周辺部は約３ｍｍ以上接着しないままのほうが４つ折りする際に好ましい。
【００１６】
図２に本発明の実施の形態におけるマス目付きゲーム盤１の一例の多目的盤の平面図を、図3にマス目を形成するマス目板３の裏面の斜視図を示す。この多目的盤１の特徴は任意の個所のマス目のマス目板３の裏面とシート状物２の対応する個所に、接着剤や両面粘着テープを介して面ファスナー（４または５）やマジックバンド６を設置して、マス目板３を繰り返し脱着できることである。シート状物２はデニム布や帆布などの厚手の綿布類が好ましい。面ファスナーのメス側４は任意の形状のトイクロスなどの片面起毛布８などに置き換えてもよい。マス目板３は２種類の色相の異なる材料を市松模様に配置する。この場合、将棋やリバーシなどのゲームは色相の違いを無視してプレーすることになる。そこで、マス目板３を1種類の材料とし、その半数の片面だけを着色したものとすれば、市松模様に配置するか同一色相にするかを選択することができる。
また、シート状物２を二つに折りたたんだ場合のガオ州の面ファスナーをメス側４とオス側５を合わせるように設置し、マス目板３の面ファスナーも対応させれば袋状にすることができ、マス目板３やゲーム用駒を収納できる。
【００１７】
図４に本発明の実施の形態におけるマス目付きゲーム盤１のもう一つの例の多目的盤の平面図を示す。こちらの多目的盤１の特徴はすべてのマス目板３の裏側に面ファスナーのオス側５を張り付ける。シート状物２はトイクロスやキッズクロスなどの商品名の片面起毛布８とすれば面ファスナーの受け側が不要となり、マス目板を張り付ける目安の罫線７を記載しておくだけでよい。罫線７はマス目板３の各辺より約１ｍｍ外側にあるほうが好ましい。罫線７の記載方法は通常の筆記具や印刷などでもよいが折り返した端面とともに縫い目をつける方法もある。なお、この盤１はマス目板３をすべて取り外せるので、まるめたりいくつにも折りたたむことができるし、マス目板３の間隔を狭めることができるのでゲーム盤の大きさを小さくできる。また、片面起毛布は薄くて柔らかいので、裏側に綿布類などを縫い合わせて袋状にするか、ポケットを設ければ、シート状物２の腰が強くなり、マス目板３やゲーム用駒なども収容できる。
【実施例１】
【００１８】
図１は本発明の実施例１のチェス盤である。折りたたみ可能なシート状物２としてデニム布を使用している。デニム布は端面がほつれやすいため洗濯によりほつれを促進させて、それを摘み取った後アイロンがけしている。８×８マスのゲーム盤１のマス目板は厚さ２ｍｍで３０×３０ｍｍの正方形のカリン材（茶色）とタモ材（白色）の２種類を使用している。この２種類を約５ｍｍの間隔を空けて、ポリビニールアセテート系の木工ボンドでデニム布に接着している。
【実施例２】
【００１９】
図２は本発明の実施例２の多目的ゲーム盤１の平面図である。
図３は本発明の実施例２の脱着できるマス目板３の裏面の斜視図である。
折りたたみ可能なシート状物２としてデニム布を使用している。デニム布は端面がほつれやすいため端面約６ｍｍにポリビニールアセテート系接着剤を含侵させている。１０×１０マスのゲーム盤１の中央部の４×４のマス目板以外のマス目位置には２０ｍｍ径の丸形の粘着テープ付きの面ファスナーのメス側を張り付けている。４×４マスのマス目板３については厚さ３ｍｍで３０×３０ｍｍのヒノキ材を３ｍｍの間隔で、実施例１と同様に直接接着している。残りのマス目板３は厚さ２ｍｍで３０×３０ｍｍの形状で、図３に示すように裏側に２０ｍｍ径の丸形の粘着テープ付きの面ファスナーのオス側４を張り付けている。
マス目板３の表側半数を薄く着色して市松模様に並べている。
【００２０】
この多目的ゲーム盤１では４×４マスから１０×１０マスのゲームを自在にプレーすることができる。
例えば、４×４マスでクアルト、５×５マスでクイキシオ、６×６マスで
新開発のマルチ五目並べ、８×８マスでチェス、チェカー、リバーシ（オセロ）など、９×９マスで将棋、１０×１０マスでドラフツなどである。
【実施例３】
【００２１】
図４は実施例３の多目的ゲーム盤の平面図である。
マス目板３のすべては実施例２と同じ仕様の脱着式であるが、折りたたみ可能なシート状物２が厚さ約０．５ｍｍのトイクロス（面ファスナーのオン側５と接合可能な片面起毛布）８で、マス目板３の張り付け位置を示すマス目状罫線７を記載している。記載方法は折り返した端面とともにミシンで糸の縫い目をつけている。個々のマス目板３相互の間隔は約２ｍｍと狭くなっている。また、トイクロス８の裏面には同じ広さのデニム布を３辺だけ縫合して袋状としている。
用途と使い方は実施例３と同様であるが片面を着色したほうのマス目板３は面ファスナー５を張り替えることにより、市松模様か同一の無着色かに配置を選択できる。また、うらぬのにデニム布を報道しているので、シート状物２の腰が強くなり、袋状物の中にはマス目板３やゲーム用駒を収容してもよい。
【産業上の利用可能性】
【００２２】
本発明のマス目付きゲーム盤は従来から親しまれている囲碁、将棋、連珠、リバーシ（オセロ）、チェスなどや、発明者が開発したマルチ五目並べ、算数パズル、数独（ナンプレ）などの数字パズル、クロスワードパズルなどのボードゲームにも用いることができる。また、折り曲げてコンパクトになるため、高齢者や年少者向けの大きな駒のゲーム用のマス目付きゲーム盤にも応用できる。
また、家庭での収納や旅行、友人宅への訪問の携帯などにもきわめて便利である。
【符号の説明】
【００２３】
１      ゲーム盤
２      シート状物
３      マス目形成薄板状物（マス目板）
４      面ファスナーメス側
５      面ファスナーオス側
６      マジックバンド
７      ゲーム盤の罫線
８      片面起毛布（トイクロスなど）
【図１】
2020188849.tif 000003
【図２】
2020188849.tif 000004
【図３】
2020188849.tif 000005
【図４】
2020188849.tif 000006